(57)【要約】【課題】人手を要することなく、重量物を容易，円滑かつ迅速に移動させるとともに、低コストに実施でき、しかも汎用性及び多様性に富む重量物の移動用補助具及び重量物の移動方法を提供する。【解決手段】フェルト状部材Ｆを重量物Ｘの下に敷くことができるように所定の厚さＴを有するシート状に形成し、かつ一方の面Ｆｓに摩擦材ｆを付して構成した敷部材（第一敷部材）Ａ１と、硬質合成樹脂等の硬質性素材によりトレイ状に形成し、第一敷部材Ａ１に対して着脱するとともに、装着時に第一敷部材Ａ１の底面及び少なくとも一部の側面を覆う第二敷部材Ａ２とを備える。【選択図】図１
2004067312.tif 000002
【特許請求の範囲】
【請求項１】
フェルト状部材を重量物の下に敷くことができるように所定の厚さを有するシート状に形成し、かつ一方の面に摩擦材を付して構成した敷部材を備えることを特徴とする重量物の移動用補助具。
【請求項２】
前記摩擦材は、ゴム又は軟質合成樹脂等の軟質性素材により形成した多数の突起部であることを特徴とする請求項１記載の重量物の移動用補助具。
【請求項３】
フェルト状部材を重量物の下に敷くことができるように所定の厚さを有するシート状に形成し、かつ一方の面に摩擦材を付して構成した敷部材（第一敷部材）と、硬質合成樹脂等の硬質性素材によりトレイ状に形成し、前記第一敷部材に対して着脱するとともに、装着時に前記第一敷部材の底面及び少なくとも一部の側面を覆う第二敷部材とを備えることを特徴とする重量物の移動用補助具。
【請求項４】
前記摩擦材は、ゴム又は軟質合成樹脂等の軟質性素材により形成した多数の突起部であることを特徴とする請求項３記載の重量物の移動用補助具。
【請求項５】
フェルト状部材を所定の厚さを有するシート状に形成し、かつ一方の面に摩擦材を付して構成した敷部材を備える移動用補助具を複数用意し、摩擦材を付した面を上にした前記移動用補助具を重量物の下に敷くことにより、当該重量物を押して又は引いて移動させるようにしたことを特徴とする重量物の移動方法。
【請求項６】
前記重量物を設置する際は、摩擦材を付した面を下にした前記移動用補助具を前記重量物の下に敷くことを特徴とする請求項５記載の重量物の移動方法。
【請求項７】
フェルト状部材を所定の厚さを有するシート状に形成し、かつ一方の面に摩擦材を付して構成した第一敷部材と、硬質合成樹脂等の硬質性素材によりトレイ状に形成し、前記第一敷部材に対して着脱するとともに、装着時に少なくとも前記第一敷部材の底面及び少なくとも一部の側面を覆う第二敷部材とを備える移動用補助具を複数用意し、摩擦材を付した面を上にした前記第一敷部材に前記第二敷部材を装着した前記移動用補助具を重量物の下に敷くことにより、当該重量物を押して又は引いて移動させるようにしたことを特徴とする重量物の移動方法。
【請求項８】
前記重量物を設置する際は、摩擦材を付した面を下にした前記第一敷部材を前記重量物の下に敷くことを特徴とする請求項７記載の重量物の移動方法。
【発明の詳細な説明】
【０００１】
【発明の属する技術分野】
本発明は、家具や機械等の重量物を移動させる際に用いて好適な重量物の移動用補助具及び重量物の移動方法に関する。
【０００２】
【背景及び課題】
一般に、家庭やオフィス等における室内のレイアウトを変更する場合、設置されている家具，机，書棚，機械等の重量物を移動させる必要があるが、このような重量物は、重量が大きい故に移動が大変となる。
【０００３】
特に、重量物をそのまま押して移動させた場合には、床面を傷付けてしまうとともに、ジュータン等の上に設置されているような場合には移動自体が困難になる。一方、重量物を持上げて移動させるには、重量物故に、一人では困難な場合も多く、通常、複数の人手を必要とするか或いは大掛かりな移動用装置が必要となる。
【０００４】
このように、設置されている重量物の移動は、移動方法が制限されるとともに、多大な労力と時間、或いはコストを必要とするものであり、従来より、このような重量物を、人手を要することなく、容易，円滑かつ迅速に移動させるための移動用補助具（及び移動方法）の実用化が要請されていた。
【０００５】
本発明は、このような従来の要請に応えたものであり、人手を要することなく、重量物を容易，円滑かつ迅速に移動させることができるとともに、低コストに実施でき、しかも汎用性及び多様性に富む重量物の移動用補助具及び重量物の移動方法の提供を目的とする。
【０００６】
【課題を解決するための手段及び実施の形態】
本発明に係る重量物Ｘの移動用補助具１ａは、フェルト状部材Ｆを重量物Ｘの下に敷くことができるように所定の厚さＴを有するシート状に形成し、かつ一方の面Ｆｓに摩擦材ｆを付して構成した敷部材Ａ１を備えることを特徴とする。この場合、好適な実施の形態により、摩擦材ｆは、ゴム又は軟質合成樹脂等の軟質性素材により形成した多数の突起部ｋ…により構成できる。
【０００７】
また、本発明の他の形態に係る重量物Ｘの移動用補助具１ｂは、フェルト状部材Ｆを重量物Ｘの下に敷くことができるように所定の厚さＴを有するシート状に形成し、かつ一方の面Ｆｓに摩擦材ｆを付して構成した敷部材（第一敷部材）Ａ１と、硬質合成樹脂等の硬質性素材によりトレイ状に形成し、第一敷部材Ａ１に対して着脱するとともに、装着時に第一敷部材Ａ１の底面及び少なくとも一部の側面を覆う第二敷部材Ａ２とを備えることを特徴とする。この場合、好適な実施の形態により、摩擦材ｆは、ゴム又は軟質合成樹脂等の軟質性素材により形成した多数の突起部ｋ…により構成できる。
【０００８】
一方、本発明に係る重量物Ｘの移動方法は、フェルト状部材Ｆを所定の厚さＴを有するシート状に形成し、かつ一方の面Ｆｓに摩擦材ｆを付して構成した敷部材Ａ１を備える移動用補助具１ａを複数用意し、摩擦材ｆを付した面Ｆｓを上にした移動用補助具１ａ…を重量物Ｘの下に敷くことにより、当該重量物Ｘを押して又は引いて移動させるようにしたことを特徴とする。この場合、好適な実施の態様により、重量物Ｘを設置する際は、摩擦材ｆを付した面Ｆｓを下にした移動用補助具１ａ…を当該重量物Ｘの下に敷くことができる。
【０００９】
また、本発明の他の態様に係る重量物Ｍの移動方法は、フェルト状部材Ｆを所定の厚さＴを有するシート状に形成し、かつ一方の面Ｆｓに摩擦材ｆを付して構成した第一敷部材Ａ１と、硬質合成樹脂等の硬質性素材によりトレイ状に形成し、第一敷部材Ａ１に対して着脱するとともに、装着時に少なくとも第一敷部材Ａ１の底面及び少なくとも一部の側面を覆う第二敷部材Ａ２とを備える移動用補助具１ｂを複数用意し、摩擦材ｆを付した面Ｆｓを上にした第一敷部材Ａ１に第二敷部材Ａ２を装着した移動用補助具１ｂ…を重量物Ｘの下に敷くことにより、当該重量物Ｘを押して又は引いて移動させるようにしたことを特徴とする。この場合、好適な実施の態様により、重量物Ｘを設置する際は、摩擦材ｆを付した面Ｆｓを下にした移動用補助具１ａ…を当該重量物Ｘの下に敷くことができる。
【００１０】
【実施例】
次に、本発明に係る好適な実施例を挙げ、図面に基づき詳細に説明する。
【００１１】
まず、本実施例に係る移動用補助具１ａの構成について、図１〜図３を参照して説明する。
【００１２】
移動用補助具１ａは、フェルト状部材Ｆを重量物Ｘの下に敷くことができるように所定の厚さＴを有するシート状に形成し、かつ一方の面Ｆｓに摩擦材ｆを付して構成した敷部材Ａ１を備える。
【００１３】
この敷部材Ａ１は、図１及び図２に示すように、例えば、厚さＴを５〔ｍｍ〕前後に選定するとともに、平面視を一辺が１００〔ｍｍ〕前後の矩形に形成する。そして、敷部材Ａ１における一方の面Ｆｓの一端辺側には、段差部２ｓを介して所定の寸法だけ高くし、かつ所定の幅Ｗを有するストッパ部２を設ける。このストッパ部２は、一方の面Ｆｓに対して一体形成してもよいし、短冊状に別途形成したフェルト状部材を接着剤等により貼付けてもよい。
【００１４】
また、一方の面Ｆｓには、摩擦材ｆとして、ゴム又は軟質合成樹脂等の軟質性素材により形成した多数の突起部ｋ…を付着させる。図１における仮想線Ｚｋで囲った範囲が、突起部ｋ…を設ける範囲である。このような多数の突起部ｋ…を付着させることにより、他の面に面接触させた際における十分な摩擦係数を確保できる。なお、このような多数の突起部ｋ…は、例えば、所定の粘性を有する熱硬化性樹脂を、治具により多数プリントし、加熱することにより設けることができる。このような製造方法により、多数の突起部ｋ…を容易かつ確実に付着させることができる。
【００１５】
さらに、一方の面Ｆｓの裏側となる他方の面Ｆｎであって、ストッパ部２の裏側の位置には、一端辺側（先端側）が漸次薄くなる傾斜面３を形成する。この傾斜面３は、平坦面により形成してもよいし湾曲面により形成してもよい。なお、必要により、敷部材Ａ１の四隅には、実施例で示す直線或いはＲ等により面取部５…を形成することが望ましい。このような敷部材Ａ１により、移動用補助具１ａが構成される。
【００１６】
次に、本実施例に係る移動用補助具１ｂの構成について、図１〜図３を参照して説明する。移動用補助具１ｂは、敷部材（第一敷部材）Ａ１と第二敷部材Ａ２を備えて構成する。即ち、上述した敷部材Ａ１に対して、別途形成した第二敷部材Ａ２を組合わせて構成する。
【００１７】
第二敷部材Ａ２は、硬質合成樹脂等の硬質性素材によりトレイ状に形成し、第一敷部材Ａ１に対して着脱可能となる。即ち、第二敷部材Ａ２は、図１に示すように、第一敷部材Ａ１の底面を覆う矩形状の底面部１１及びこの底面部１１の四端辺から直角に立上げた前後左右の側面部１２ａ，１２ｂ，１２ｃ，１２ｄを一体に成形してなり、大きさ及び形状は、上方から第一敷部材Ａ１を嵌合させることができるように選定する。なお、各側面部１２ａ…の高さは、第一敷部材Ａ１を嵌合させた際に、第一敷部材Ａ１の高さと同程度かやや低くなるように選定することができる（図２参照）。また、底面部１１における第一敷部材Ａ１の傾斜面３に対応する位置には、傾斜面３に重なる同一角度の傾斜面１３を設ける。これにより、第二敷部材Ａ２に第一敷部材Ａ１を装着（嵌合）した際には、第二敷部材Ａ２は、第一敷部材Ａ１の底面及び少なくとも一部の側面を覆うことができる。
【００１８】
次に、本実施例に係る重量物Ｘの移動方法を含む移動用補助具１ａ及び移動用補助具１ｂの使用方法について、図４〜図６を参照して説明する。
【００１９】
最初に、図４に示すように、フローリング（木質）やタイル等の硬質フロアＰａの上に、机等の四つ脚部Ｘｆ…を有する重量物Ｘが設置されている場合を想定する。この場合、重量物Ｘの移動には移動用補助具１ａを使用する。
【００２０】
まず、脚部Ｘｆ…と同数の四つの移動用補助具１ａ…を用意する。そして、各移動用補助具１ａ…を、図４に示すように、各脚部Ｘｆ…の下にそれぞれ敷いてセッティングする。この際、各移動用補助具１ａ…は、摩擦材ｆを付した一方の面Ｆｓを上にするとともに、移動方向Ｄｐに対する前方にストッパ部２を位置させる。
【００２１】
これにより、重量物Ｘを移動方向Ｄｐに押し又は引くことにより、当該重量物Ｘを同方向Ｄｐへ移動させることができる。この際、各敷部材Ａ１…は、フェルト状部材Ｆにより形成されるため、各移動用補助具１ａ…の下面（他方の面Ｆｎ）と硬質フロアＰａ間の摩擦係数が小さくなり、各移動用補助具１ａ…の下面は、硬質フロアＰａ上を容易に滑らすことができるとともに、各移動用補助具１ａ…と各脚部Ｘｆ…間は、摩擦材ｆにより摩擦係数が大きくなり、滑りが防止される。また、ストッパ部２の存在により、脚部Ｘｆ…が移動用補助具１ａ…の上から脱落する不具合が回避されるとともに、傾斜面３の存在により、硬質フロアＰａ上に多少の凹凸等が存在しても容易に移動させることができる。
【００２２】
一方、図５に示すように、重量物Ｘがジュータンや畳等の軟質フロアＰｂの上に設置されている場合を想定する。この場合、重量物Ｘの移動には、移動用補助具１ｂを使用する。
【００２３】
まず、敷部材（第一敷部材）Ａ１に第二敷部材Ａ２を装着（嵌合）した移動用補助具１ｂ…を、脚部Ｘｆ…と同数（四組）用意する。そして、各移動用補助具１ｂ…を、図５に示すように、各脚部Ｘｆ…の下にそれぞれ敷いてセッティングする。この際、各移動用補助具１ｂ…は、摩擦材ｆを付した一方の面Ｆｓを上にするとともに、移動方向Ｄｐに対する前方にストッパ部２を位置させる。
【００２４】
これにより、重量物Ｘを移動方向Ｄｐに押し又は引くことにより、当該重量物Ｘを同方向Ｄｐへ移動させることができる。この際、各第二敷部材Ａ２…の下面が軟質フロアＰｂ上に接するため、軟質フロアＰｂと各第二敷部材Ａ２…間の摩擦係数が小さくなり、各移動用補助具１ｂ…の下面は、軟質フロアＰｂ上を容易に滑らすことができるとともに、各第一敷部材Ａ１…と各脚部Ｘｆ…間は、摩擦材ｆにより摩擦係数が大きくなり、滑りが防止される。また、ストッパ部２の存在、さらには第一敷部材Ａ１…と第二敷部材Ａ２…の嵌合により、脚部Ｘｆ…が移動用補助具１ｂ…の上から脱落する不具合が回避されるとともに、第二敷部材Ａ２に形成した傾斜面１３の存在により、軟質フロアＰｂ上の凹凸等に拘わらず容易に移動させることができる。
【００２５】
このように、本実施例に係る重量物Ｘの移動用補助具１ａ，１ｂ（及び重量物Ｘの移動方法）によれば、人手を要することなく、重量物Ｘを容易，円滑かつ迅速に移動させることができる。しかも、低コストに実施できるとともに、汎用性にも優れる。
【００２６】
他方、重量物Ｘを移動させた後、目的の場所に設置する際は、図６に示すように、摩擦材ｆを付した一方の面Ｆｓを下にした敷部材（第一敷部材）Ａ１…を、重量物Ｘ（脚部Ｘｆ…）の下に敷けばよい。これにより、敷部材Ａ１…と硬質フロアＰａ（軟質フロアＰｂ）間の摩擦係数が高くなり、滑りが回避されるとともに、上方を向く敷部材Ａ１…における他方の面Ｆｎの一端辺側は、ストッパ部２の存在によって上方に盛り上がるため、脚部Ｘｆ…の位置ズレを防止する規制部材として機能する。
【００２７】
したがって、敷部材Ａ１…をこのように使用することにより、特に、硬質フロアＰａに対する傷付を防止できるとともに、地震等に対しても位置ズレを防止できる。しかも、次回の移動時にも使用できるため、保管を兼ね、紛失防止効果も得ることができるなど、多様性（多機能性）に富むものとなる。
【００２８】
以上、実施例について詳細に説明したが、本発明はこのような実施例に限定されるものではなく、細部の構成，形状，寸法，素材等において、本発明の要旨を逸脱しない範囲で、任意に変更，追加，削除することができる。
【００２９】
例えば、図７に示すように、敷部材（第一敷部材）Ａ１の他方の面Ｆｎに、チャンネル状に形成した複数のスリット２１…を形成してもよい。これにより、硬質フロアＰａに対する接触面積を小さくでき、より円滑に移動させることができるとともに、移動させる際の直進性を高めることができる。また、フェルト状部材Ｆは、既存のフェルトを利用してもよいし、特に、硬質フロアＰａに対して低摩擦係数となるように素材や組織を選定した専用のフェルト状部材を利用してもよい。さらに、実施例は、四つの脚部Ｘｆ…を有する重量物Ｘを例示したが、重量物の種類（用途）は任意であり、例えば、平坦に形成した底面を有する重量物であってもよい。この場合には、各移動用補助具１ａ…（１ｂ…）におけるストッパ部２…を重量物における各端辺から突出する状態にして、重量物の底面の下に挿入すればよい。
【００３０】
【発明の効果】
このように、本発明に係る移動用補助具（移動方法）は、フェルト状部材を重量物の下に敷くことができるように所定の厚さを有するシート状に形成し、かつ一方の面に摩擦材を付して構成した敷部材（第一敷部材）を備え、また、本発明の他の形態に係る移動用補助具は、この第一敷部材に加えて、硬質合成樹脂等の硬質性素材によりトレイ状に形成し、第一敷部材に対して着脱するとともに、装着時に第一敷部材の底面及び少なくとも一部の側面を覆う第二敷部材とを備えるため、次のような顕著な効果を奏する。
【００３１】
（１）　人手を要することなく、重量物を容易，円滑かつ迅速に移動させることができ、しかも、低コストに実施できるとともに、汎用性にも優れる。
【００３２】
（２）　好適な実施の形態により、摩擦材を、ゴム又は軟質合成樹脂等の軟質性素材により形成した多数の突起部により設ければ、他の面に面接触させた際における十分な摩擦係数を確保できる。
【００３３】
（３）　好適な実施の態様により、重量物を設置する際に、摩擦材を付した面を下にした移動用補助具を当該重量物の下に敷くようにすれば、硬質フロアに対する傷付を防止できるとともに、地震等に対する位置ズレを防止でき、しかも、次回の移動時にも使用できるため、保管を兼ね、紛失防止効果も得れるなど、多様性（多機能性）にも富むものとなる。
【図面の簡単な説明】
【図１】本発明の好適な実施例に係る移動用補助具の斜視図、
【図２】同移動用補助具の一部断面側面図、
【図３】同移動用補助具の一部断面正面図、
【図４】同移動用補助具の使用説明図、
【図５】同移動用補助具の他の使用説明図、
【図６】同移動用補助具の他の使用説明図、
【図７】同移動用補助具の変更例に係る敷部材の一部を示す斜視図、
【符号の説明】
１ａ　移動用補助具
１ｂ　移動用補助具
Ｆ　　フェルト状部材
Ｆｓ　敷部材の一方の面
ｆ　　摩擦材
ｋ…　突起部
Ｔ　　厚さ
Ａ１　敷部材
Ａ２　第二敷部材
Ｘ　　重量物
【図１】
2004067312.tif 000003
【図２】
2004067312.tif 000004
【図３】
2004067312.tif 000005
【図４】
2004067312.tif 000006
【図５】
2004067312.tif 000007
【図６】
2004067312.tif 000008
【図７】
2004067312.tif 000009